(57)【要約】【課題】真空吸引装置１への水滴や砂の混入を防止可能な挿線装置を提供すること。【解決手段】管路３と真空吸引装置１とを連通するエアホース２の途中に水滴分離タンク５を設ける。水滴分離タンク５は、第１ホース２Ａから空気が下方へ吹き込まれるエア吹き込み筒部５１と、水滴分離タンク５内の空気を上方へ吸い込んで第２ホース２Ｂへ導入するエア吸い込み筒部５２とを有する。【選択図】図１
2010124631.tif 000002
【特許請求の範囲】
【請求項１】
ケーブルを管路内に敷設するための引き込み線と、前記管路内の前記引き込み線を吸引して前記管路を貫通させる空気吸引装置と、前記吸引のために前記管路の一端開口と前記空気吸引装置とを連通する挿線装置用エアホースとを有する挿線装置において、
前記挿線装置用エアホースは、両端開口の円錐筒形状に形成された管路開口遮蔽筒を有し、
前記管路開口遮蔽筒の径小な先端部は、挿線予定管路の径よりも小さい径を有する前記挿線装置用エアホースの先端部に嵌着、固定され、
前記管路開口遮蔽筒の径大な後端部は、前記挿線予定管路の径よりも大きく形成されていることを特徴とする挿線装置。
【請求項２】
請求項１記載の挿線装置において、
前記管路開口遮蔽筒の外周面にはゴム層が形成されている。
【請求項３】
ケーブルを管路内に敷設するための引き込み線と、前記管路内の前記引き込み線を吸引して前記管路を貫通させる空気吸引装置と、前記吸引のために前記管路の開口と前記空気吸引装置とを連通する挿線装置用エアホースとを有する挿線装置において、
前記挿線装置用エアホースの途中に設けられて前記空気吸引装置に送られる空気流から水滴を分離する水滴分離タンクを有し、
前記挿線装置用エアホースは、先端部が前記管路の開口に連通する第１ホースと、後端部が前記空気吸引装置の吸入孔に連通する第２ホースとを有し、
前記第１ホースの後端部及び前記第２ホースの先端部は、前記水滴分離タンクに垂下することを特徴とする挿線装置。
【発明の詳細な説明】
【技術分野】
【０００１】
本発明は、管路内へのケーブルの挿線作業に好適に用いられる挿線装置に関する。
【背景技術】
【０００２】
空又は既にケーブルが敷設された管路にケーブルを敷設する場合、管路に予め挿通した引き込み線の先端にケーブルの先端を固定してこの引き込み線を引き戻すことにより、ケーブルを管路内へ挿線するのが一般的である。
【０００３】
この引き込み線挿通作業において、管路内に気流を形成し、引き込み線の先端に挿線用風受け部材を固定することにより、又は、気流が挿線用風受け部材に与える流体抵抗力（ドラッグフォース）又は挿線用風受け部材前後の静圧差により、挿線用風受け部材を引き込み線挿通方向へ付勢する引き込み線挿通技術（以下、吸い込み式引き込み線挿通技術と略称する）が、公知となっている。その他、圧縮空気により、管路内の挿線用風受け部材を押し込む押し込み式引き込み線挿通技術も公知となっている。
【０００４】
たとえば、本出願人により所有されている下記の特許文献１は、引き込み線の先端部に大きな流体抵抗力（ドラッグフォース）を発生するテープ状の挿線用風受け部材を多数設けることを提案している。各テープは、既設ケーブルや管路の角部などの障害があっても柔軟に変形してそれを回避しつつ前進することができる。かつ、これらの障害によりテープが曲がるとそのドラッグフォースすなわちテープ推進スラストが一層増大するという利点がある。また、前後の差圧によりスラストを発生するパラシュート型の挿線用風受け部材も公知となっている。つまり、従来の挿線方式としては、流体抵抗利用推進方式と差圧利用推進方式とが知られている。
【０００５】
吸い込み式引き込み線挿通技術において、管路内に気流を形成したり、挿線用風受け部材前後に差圧を形成するために管路の引出口側から管路内の空気を吸引する空気吸引装置が用いられる。
【特許文献１】特許第４１１７８６１号公報
【発明の開示】
【発明が解決しようとする課題】
【０００６】
しかしながら、工事中のビルや既設ビルなどの実際の挿線工事現場では、様々な口径の多種類の管路が存在する。多種類の管路の口径と一致する多種類の口径のホースを準備し、好適な一つを真空吸引装置に脱着することは、ホースコストの増大と作業の煩雑化を招くという問題があった。
【０００７】
本発明は、上記問題点に鑑みなされたものであり、管路の口径変化に好適に対応可能な挿線装置を提供することをその第１の目的としている。
【０００８】
また、吸い込み式引き込み線挿通装置では、管路内に水が溜まっているとこの水が空気とともに空気吸引装置に吸い込まれてしまうという問題があった。空気吸引装置には、電動機駆動の軸流ファンやラジアルファン又は種々の形式の真空ポンプが採用される。しかし、このような空気吸引装置の空気吸引機構をそれを駆動するモータから防水することは困難であり、吸い込んだ水滴がモータ内に侵入してその電気絶縁性を低下させたり、漏電を発生させる可能性がある。また、軸受けなどへの水分の侵入、空気吸引装置から吹き出す高速空気流に混じる汚水が周囲環境を悪化させるなどの問題があることがわかった。これを防止するためには、管路内に空気を長時間吹き込む等して管路内の水分を予め除去した後で、吸い込み式引き込み線挿通装置を動作させることが考えられる。しかしながら、この予脱水方法は、作業時間が長くなり、生産性が低下するという問題がある。
【０００９】
本発明は、上記問題点に鑑みなされたものであり、空気吸引装置の動作信頼性を向上させ、作業能率を向上可能な挿線装置を提供することをその第２の目的としている。
【課題を解決するための手段】
【００１０】
上記の課題を解決する第１発明は、ケーブルを管路内に敷設するための引き込み線と、前記管路内の前記引き込み線を吸引して前記管路を貫通させる空気吸引装置と、前記吸引のために前記管路の一端開口と前記空気吸引装置とを連通する挿線装置用エアホースとを有する挿線装置において、前記挿線装置用エアホースは、両端開口の円錐筒形状に形成された管路開口遮蔽筒を有し、前記管路開口遮蔽筒の径小な先端部は、挿線予定管路の径よりも小さい径を有する前記エアホースの先端部に嵌着、固定され、
前記管路開口遮蔽筒の径大な後端部は、前記挿線予定管路の径よりも大きく形成されていることを特徴としている。
【００１１】
このようにすれば、管路の内径が種々変化しても問題なく管路の出口側から管路内への空気の侵入を良好に防止することができるとともに、エアホースを良好に管路の出口部に固定することもできるため、管路内の引き込み線の引き込み（牽引）作業中ずっと、エアホースを管路の出口に保持する手間が要らず、省力化を実現することができる。
【００１２】
好適な態様において、前記管路開口遮蔽筒の外周面にはゴム層が形成されている。このようにすれば、管路の出口部分が錆や工事不良などにより凹凸を有していたり、曲がっていたりしても、それに合わせてゴム層が弾性変形するので、簡素な構造により上記空気漏れを防止することができる。
【００１３】
上記の課題を解決する第２発明は、ケーブルを管路内に敷設するための引き込み線と、前記管路内の前記引き込み線を吸引して前記管路を貫通させる空気吸引装置と、前記吸引のために前記管路の開口と前記空気吸引装置とを連通する挿線装置用エアホースとを有する挿線装置において、前記エアホースの途中に設けられて前記空気吸引装置に送られる空気流から水滴を分離する水滴分離タンクを有し、前記エアホースは、先端部が前記管路の開口に連通する第１ホースと、後端部が前記空気吸引装置の吸入孔に連通する第２ホースとを有し、前記第１ホースの後端部及び前記第２ホースの先端部は、前記水滴分離タンクに垂下することを特徴としている。
【００１４】
すなわち、この発明では、エアホースの途中に空気流から水滴を分離する水滴分離装置が介設されるため、たとえば真空ポンプである高価な空気吸引装置の故障を防止し、感電の危険も減らすことができる。更に、砂などの異物を水滴同様に分離できるため、このような砂などの異物がたとえば真空ポンプである高価な空気吸引装置に吸引されてそれを故障させるのも防止することができる。更に、管路内の水滴や異物を予めクリーニングしてから吸い込み式引き込み線挿線装置を作動させる必要がないため、作業能率が向上する。
【発明を実施するための最良の形態】
【００１５】
（参考例）
本発明の挿線用風受け部材を用いた挿線装置の参考例を図面を参照して説明する。図１はこの実施例の挿線装置の模式縦断面図である。
【００１６】
１は、本発明で言う空気吸引装置をなす真空吸引装置であり、モータにより駆動される真空ポンプにより構成されている。２はゴム筒製又は樹脂筒製のジョイントダクトである。真空吸引装置１としては、たとえば電気掃除機を採用することができる。この種の真空吸引装置１は、周知であるため、これ以上の説明は省略する。本発明で言う挿線装置用エアホースをなすジョイントダクト２は、真空吸引装置１の吸い込み側の開口を覆うように固定されている。これにより、真空吸引装置１はジョイントダクト２を通じて空気を吸引する。
【００１７】
３は道路下に埋設されたケーブル敷設管をなす管路であり、６は引き込み線である。７、８はマンホール、９は道路の舗装部である。マンホール７、８は道路に沿いつつ所定距離たとえば２００メートル程度離れている。地中に埋設された管路３の挿入口はマンホール７の壁面に開口し、管路３の引出口３１はマンホール８の壁面に開口している。引き込み線６の先端には挿線用風受け部材（長袋とも言う）６２の尾部が固定されている。
【００１８】
ジョイントダクト（挿線装置用エアホース）２の先端部すなわち吸い込み側の開口には椀状空気吸入端部である入口側円筒部材２２が固定されている。入口側円筒部材２２は、ゴム製であり、椀状に形成されている。入口側円筒部材２２は、内部の負圧により壁面に良好に密着する。すなわち、管路３が開口する壁面等に入口側円筒部材２２の先端周縁部を密着させた場合、真空吸引装置１の吸引により入口側円筒部材２２の周縁部が管路周囲の壁面に吸着し、入口側円筒部材２２の保持が容易となる。更に、入口側円筒部材２２の先端周縁部が壁面の凹凸に沿いつつ弾性変形するため、空気漏れを低減することができる。ジョイントダクト２の先端部である入口側円筒部材２２は管路３の引出口３１を覆っており、入口側円筒部材２２の先端周縁部はマンホール８の側壁面に密着している。真空吸引装置１を駆動することにより管路３内の空気をジョイントダクト２を通じて吸引すると、挿線用風受け部材６２に作用する圧力差により引き込み線６は管路３内をその引出口３１側へ移動する。
【００１９】
（実施形態１）
この実施形態１の挿線装置を図２を参照して説明する。図２は、この実施形態の特徴をなす挿線装置用エアホース（ジョイントダクト）２の先端部分を拡大図示する縦断面図である。
【００２０】
この挿線装置用エアホース（以下、単にエアホースと呼ぶ）２は、図１に示す挿線装置用エアホース２の先端部分を変更したものである。このエアホース２０の先端部には、管路３の引出口３１から管路３内への空気侵入を防止するための管路開口遮蔽筒４を有している。
【００２１】
管路開口遮蔽筒４は、両端開口の円錐筒形状に形成されたゴム部材である。管路開口遮蔽筒４の径小な先端部は、ゴム筒からなるエアホース２に嵌着され、全周にわたって接着、固定されている。管路開口遮蔽筒４の先端部は管路３より径小に形成され、管路３の後端部は管路３より径大に形成されている。エアホース２及び管路開口遮蔽筒４の先端部は、管路３の引出口３１から管路３の内部に挿入されている。
【００２２】
これにより、管路開口遮蔽筒４は、管路３の引出口３１にその全周にわたって密着し、管路３の引出口３１から管路３内への空気の侵入を防止している。また、エアホース２を手で支持することなく管路３の引出口３１に固定することができる。また、管路開口遮蔽筒４がゴム筒により構成されているため、管路３の引出口３１が錆や工事不良などにより凹凸を有していたり、曲がっていたりしても、それに合わせて管路開口遮蔽筒４が弾性変形するので、簡素な構造により上記空気漏れを防止することができる。
【００２３】
（変形態様）
上記実施形態では、管路開口遮蔽筒４をゴム筒としたが、樹脂又は金属製の筒部にゴム層を設けても良い。
【００２４】
（実施形態２）
この実施形態１の挿線装置を図３を参照して説明する。図３は、この実施形態の特徴をなす挿線装置用エアホース（ジョイントダクト）２の中間部分に設けられた水滴分離タンク５を示す。この水滴分離タンク５は、灯油を入れるためのポリタンクと同様の形状をもち、その上端の開口にはそれぞれ樹脂製のエア吹き込み筒部５１及びエア吸い込み筒部５２が接着されている。
【００２５】
挿線装置用エアホース２は、先端部が管路３の引出口３１に連通する第１ホース２Ａと、後端部が真空吸引装置１の吸入孔に連通する第２ホース２Ｂとからなる。ただし、図３では、管路３及び真空吸引装置１の図示は省略されているため、図１を参照されたい。
【００２６】
第１ホース２Ａの後端部はエア吹き込み筒部５１に嵌着され、第２ホース２Ｂの先端部はエア吸い込み筒部５２に嵌着されている。第１ホース２Ａの後端部の径はエア吹き込み筒部５１の径にほぼ等しくされ、第２ホース２Ｂの先端部の径はエア吸い込み筒部５２の径にほぼ等しくされている。
【００２７】
これにより、真空吸引装置１を駆動すると、管路３内の空気は、第１ホース２Ａ、水滴分離タンク５及び第２ホース２Ｂを通じて真空吸引装置１に吸引され、外部に排出される。管路３内に水や砂などが存在する場合、これらの異物は空気流に混じって管路３から第１ホース２Ａを通じて水滴分離タンク５に移動する。
【００２８】
エア吹き込み筒部５１及びエア吸い込み筒部５２は、水滴分離タンク５内に垂下しているため、空気に比べて比重が格段に大きい水滴や砂などは水滴分離タンク５の底部に堆積する。水滴分離タンク５の壁面に透明窓を設けたり、水滴分離タンク５を透光性としてもよい。
【００２９】
この水滴分離タンク５をエアホース２に介設することにより、真空吸引装置１内に水や砂が混入することを防止することができ、その耐久性を向上し、真空ポンプである高価な空気吸引装置の故障を防止し、感電も防止することができる。更に、管路内の水滴や異物を予めクリーニングしてから吸い込み式引き込み線挿線装置を作動させる必要がないため、作業能率が向上することができる。
【図面の簡単な説明】
【００３０】
【図１】実施形態１の挿線装置の要部拡大断面図である。
【図２】図１のエアホースの先端部の拡大断面図である。
【図３】図１のエアホースに設けた水滴分離タンクを示す断面図である。
【符号の説明】
【００３１】
１  真空吸引装置（空気吸引装置）
２  ジョイントダクト（エアホース）
３  ケーブル敷設管（管路）
４  管路開口遮蔽筒
５  水滴分離タンク
６  引き込み線
７、８  マンホール
９  道路の舗装部
３１  管路の引出口
６２  挿線用風受け部材（長袋）
５１  エア吹き込み筒部
５２  エア吸い込み筒部
【図１】
2010124631.tif 000003
【図２】
2010124631.tif 000004
【図３】
2010124631.tif 000005